(57)【特許請求の範囲】
【請求項１】
間欠受信期間を設定する第一の制御信号と無線通信信号の受信の起動を制御する第二の制御信号を生成する制御部と、
無線通信信号を送信する送信部と、前記第一の制御信号に基づいて前記間欠受信期間が設定され、前記第二の制御信号に基づいて受信待ち受けモードに設定され、無線通信信号の入力後に受信処理を実行する受信部とを有し、前記受信処理が前記間欠受信期間内の場合、受信処理信号の出力後に前記制御部の指示に基づいて動作を停止し、前記間欠受信期間が解除され、前記受信処理が前記間欠受信期間を超えた場合、受信の継続を行って受信処理信号の出力後に前記制御部の指示に基づいて動作を停止するＲＦ部と、
を具備し、
前記ＲＦ部は、信号判定部、タイマー設定部、及びタイマー制御部が設けられ、
前記信号判定部は、前記受信部に入力される前記無線通信信号の有無を判定し、
前記タイマー設定部は、前記第一の制御信号に基づいて前記間欠受信期間を設定するカウンタを有し、
前記タイマー制御部は、前記信号判定部から出力される判定結果信号が信号有の場合、前記カウンタの動作を停止して受信の継続を実行し、前記信号判定部から出力される判定結果信号が信号なしの場合、前記ＲＦ部の動作を停止し、
前記信号判定部は、ＲＳＳＩ検出部、ノイズ検出部、プリアンブル検出部、第一の判定部、及び第二の判定部が設けられ、
前記第一の判定部は、前記ＲＳＳＩ検出部から出力される第一の検出信号、前記ノイズ検出部から出力される第二の検出信号、及び前記プリアンブル検出部から出力される第三の検出信号が入力され、論理演算処理を実行して信号有或いは検出中と判定し、
前記第二の判定部は、前記第一の検出信号、前記第二の検出信号、及び前記第三の検出信号が入力され、論理演算処理を実行して信号なし、検出中、或いは検出実施しないと判定する
ことを特徴とする無線通信装置。
【請求項２】
前記カウンタは、プリセット機能付きダウンカウンタであることを特徴とする請求項１に記載の無線通信装置。
【請求項３】
前記制御部は、前記第一及び第二の制御信号の出力後にスリープモードに移行し、前記受信処理信号の入力後に前記スリープモードから動作を再開することを特徴とする請求項１又は２に記載の無線通信装置。
【請求項４】
前記制御部は、スリープモード移行後、タイマーによって設定される所定時間の経過後に前記スリープモードから動作を再開することを特徴とする請求項１乃至３のいずれか１項に記載の無線通信装置。
【請求項５】
前記ＲＦ部と無線通信を行い、前記受信部に前記無線通信信号を出力するキーレスエントリー対応の携帯機を更に具備することを特徴とする請求項１乃至４のいずれか１項に記載の無線通信装置。
【請求項６】
前記無線通信装置は、車両用或いは住宅用に適用されることを特徴とする請求項５に記載の無線通信装置。
【発明の詳細な説明】
【技術分野】
【０００１】
本発明の実施形態は、無線通信装置に関する。
【背景技術】
【０００２】
無線通信装置では、入出力信号がない場合に動作を停止し、待ち受けモードに設定して消費電流を低減する間欠動作が多用されている。間欠受信の場合、間欠受信期間はＲＦ部やマイコンが動作し、信号の待ち受け時はマイコンがスリープモードに設定される。
【０００３】
携帯機から無線通信信号が送信されるキーレスエントリー対応の無線通信装置では、動作している期間よりも待ち受け時間が長く、一般のデータ通信の場合に比べデータ転送量が少ない。間欠受信期間では、必ずしも受信信号を検出するとは限らない。このため、間欠受信期間の短縮化、低消費電流化が困難であるという問題点がある。
【先行技術文献】
【特許文献】
【０００４】
【特許文献１】特開２０１１−２２６２２２号公報
【発明の概要】
【発明が解決しようとする課題】
【０００５】
本発明は、間欠受信期間での消費電流を低減することができる無線通信装置を提供することにある。
【課題を解決するための手段】
【０００６】
一つの実施形態によれば、無線通信装置は、制御部及びＲＦ部が設けられる。制御部は、間欠受信期間を設定する第一の制御信号と無線通信信号の受信の起動を制御する第二の制御信号を生成する。ＲＦ部は、無線通信信号を送信する送信部と、前記第一の制御信号に基づいて前記間欠受信期間が設定され、前記第二の制御信号に基づいて受信待ち受けモードに設定され、無線通信信号の入力後に受信処理を実行する受信部とを有し、前記受信処理が前記間欠受信期間内の場合、受信処理信号の出力後に前記制御部の指示に基づいて動作を停止し、前記間欠受信期間が解除され、前記受信処理が前記間欠受信期間を超えた場合、受信の継続を行って受信処理信号の出力後に前記制御部の指示に基づいて動作を停止する。
【図面の簡単な説明】
【０００７】
【図１】第一の実施形態に係る間欠受信が行われる車両の概略構成を示すブロック図である。
【図２】第一の実施形態に係る間欠受信を実行する無線通信装置の構成を示すブロック図である。
【図３】第一の実施形態に係る制御ユニットの概略構成を示すブロック図である。
【図４】第一の実施形態に係るＲＳＳＩ検出部の構成を示すブロック図である。
【図５】第一の実施形態に係るノイズ検出部の構成を示すブロック図である。
【図６】第一の実施形態に係るプリアンブル検出部の構成を示すブロック図である。
【図７】第一の実施形態に係る第一の判定部の出力結果を説明する真理値表である。
【図８】第一の実施形態に係る第二の判定部の出力結果を説明する真理値表である。
【図９】第一の実施形態に係る選択回路の出力結果を説明する真理値表である。
【図１０】第一の実施形態に係わる無線通信装置の動作を示すタイミングチャート。
【図１１】第二の実施形態に係る間欠受信が行われる住宅の概略構成を示すブロック図である。
【図１２】第二の実施形態に係る間欠受信を実行する無線通信装置の構成を示すブロック図である。
【発明を実施するための形態】
【０００８】
以下本発明の実施形態について図面を参照しながら説明する。
【０００９】
（第一の実施形態）
まず、実施形態に係る無線通信装置について、図面を参照して説明する。図１は間欠受信が行われる車両の概略構成を示すブロック図である。図２は間欠受信を実行する無線通信装置の構成を示すブロック図である。本実施形態では、車両に設けられる無線通信装置の制御ユニットのＲＦ部で信号検出された結果に基づいて間欠受信期間を短縮化して消費電流を低減している。
【００１０】
図１に示すように、車両２００には、制御部１１、ＲＦ部１２、エンジン３１、エアコン３２、ランプ３３ａ乃至３３ｆ、ドア３４ａ乃至３４ｄ、ミラー３５ａ、及びミラー３５ｂが設けられる。車両２００では、携帯機２との間でキーレスエントリーの無線通信が実行される。
【００１１】
キーレスエントリー対応の車両２００では、携帯機２のＲＦ部２１から車両２００のＲＦ部１２に送信される無線通信信号ＳＤ２に基づいて、例えば、ドア３４ａ乃至３４ｄの解錠、ランプ３３ａ乃至３３ｆの点灯、エンジン３１の起動、エアコン３２の起動等が制御される。また、車両２００のＲＦ部１２から携帯機２のＲＦ部２１に無線通信信号ＳＤ１が送信される。無線通信信号ＳＤ１には、車両２００内のセンサー情報が含まれる。
【００１２】
ここでは、車両２００内にＲＦ部１２を代表表示しているが（説明を簡略化するために）、必ずしもＲＦ部が１つとは限らない。例えば、車両２００の四隅にＲＦ部をそれぞれ設けてもよい。
【００１３】
図２に示すように、無線通信装置９０により車両２００で行われるキーレスエントリーの無線通信が実行される。
【００１４】
無線通信装置９０には、制御ユニット１と携帯機２から構成される。制御ユニット１は、車両２００側に設けられ、制御部１１、ＲＦ部１２、記憶部１３、入力部１４、及び出力部１５から構成される。携帯機２は、車両２００の外部に設けられ、ＲＦ部２１、制御部２２、及び記憶部２３から構成される。
【００１５】
制御部１１は、ＲＦ部１２、記憶部１３、入力部１４、及び出力部１５を統括制御する。ＲＦ部１２は、受信部１６及び送信部１７が設けられる。記憶部１３は、制御部１１から出力される各種情報（車両２００内外の情報）を格納する。入力部１４は、例えば制御パネル情報やセンサーで感知されたセンサー情報などが入力され、その情報を制御部１１に出力する。出力部１５は、制御部１１から出力される制御信号が入力され、その制御信号を車両２００内に送信し、例えばドアロック制御、空調制御、ライト制御などが実行される。
【００１６】
制御部２２は、ＲＦ部２１及び記憶部２３を統括制御する。ＲＦ部２１は、受信部２４及び送信部２５が設けられる。記憶部２３は、制御部２２から出力される各種情報を格納する。
【００１７】
無線通信信号ＳＤ２は、送信部２５から受信部１６に送信される、例えばＵＨＦ帯の信号である。無線通信信号ＳＤ１は、送信部１７から受信部２４に送信される、例えばＬＦ帯の信号である。
【００１８】
次に、キーレスエントリーでの無線通信装置の制御ユニットについて図３乃至８を参照して説明する。図３は制御ユニットの概略構成を示すブロック図である。図４はＲＳＳＩ検出部の構成を示すブロック図である。図５はノイズ検出部の構成を示すブロック図である。図６はプリアンブル検出部の構成を示す回路図である。図７は第一の判定部の出力結果を説明する真理値表である。図８は第二の判定部の出力結果を説明する真理値表である。図９は選択回路の出力結果を説明する真理値表である。
【００１９】
図３に示すように、キーレスエントリーでの無線通信では、ＲＦ部１２と制御部１１が係わる。ＲＦ部１２は、信号判定部４１、タイマー制御部４２、タイマー設定部４３、及びアンテナ４４を含む。制御部１１はマイコン４５を含む。
【００２０】
マイコン４５は、間欠受信期間を設定する制御信号Ｓｓｇ１（第一の制御信号）をタイマー設定部４３に出力する。マイコン４５は、ＲＦ部１２の動作を制御する制御信号Ｓｓｇ２（第二の制御信号）をＲＦ部１２に出力する。
【００２１】
信号判定部４１は、アンテナ４４を介して受信部１６に入力される無線通信信号ＳＤ２の有無を判定する。タイマー設定部４３は、制御信号Ｓｓｇ１（第一の制御信号）に基づいて間欠受信期間を設定する。タイマー制御部４２は、信号判定部４１から出力される判定結果信号Ｓｅｎ１（第一の判定結果信号）及び判定結果信号Ｓｄｉ１（第二の判定結果信号）に基づいて、判定結果が信号有の場合、タイマー設定部４３のカウンタ５９の動作を停止し、受信の継続を実行する。判定結果が信号なしの場合、ＲＦ部１２の動作が停止される。
【００２２】
信号判定部４１は、ＲＳＳＩ（receive signal strength indicator）検出部５１、ノイズ検出部５２、プリアンブル検出部５３、判定部５４（第一の判定部）、及び判定部５５（第二の判定部）が設けられる。
【００２３】
ＲＳＳＩ検出部５１は、アンテナ４４などを介して入力信号Ｓｉｎ１が入力され、検出信号Ｓｒｓ１（第一の検出信号）を出力する。
【００２４】
図４に示すように、ＲＳＳＩ検出部５１は、例えばＡ／ＤコンバータＡＤＣ１、フィルタＦＬＴ１、及びコンパレータＣＯＭＰ１が設けられる。
【００２５】
Ａ／ＤコンバータＡＤＣ１は、受信部１６の図示しないＩＦ段から出力される信号である入力信号Ｓｉｎ１が入力され、アナログデジタル変換する。フィルタＦＬＴ１は、Ａ／ＤコンバータＡＤＣ１から出力される信号の所定帯域以外をカットする。コンパレータＣＯＭＰ１は、フィルタＦＬＴ１から出力される信号が入力され、その信号が、例えば所定の閾値以上であればハイレベルの検出信号Ｓｒｓ１（第一の検出信号）を出力する。所定の閾値以下であればローレベルの検出信号Ｓｒｓ１（第一の検出信号）を出力する。
【００２６】
ノイズ検出部５２は、アンテナ４４などを介して入力信号Ｓｉｎ２が入力され、検出信号Ｓｎｄ１（第二の検出信号）を出力する。
【００２７】
図５に示すように、ノイズ検出部５２は、例えばフィルタＦＬＴ２、全波整流回路ＦＷＲ１、フィルタＦＬＴ３、コンパレータＣＯＭＰ２が設けられる。
【００２８】
フィルタＦＬＴ２は、受信部１６の図示しないＩＦ部の積分器から出力される信号である入力信号Ｓｉｎ２が入力され、入力信号Ｓｉｎ２の所定帯域以外をカットする。全波整流回路ＦＷＲ１は、フィルタＦＬＴ２から出力される信号が入力され、その信号を全波整流する。フィルタＦＬＴ３は、全波整流回路ＦＷＲ１から出力される信号が入力され、その信号の所定帯域以外をカットする。コンパレータＣＯＭＰ２は、フィルタＦＬＴ３から出力される信号が入力され、その信号が、例えば所定の閾値以上であればローレベルの検出信号Ｓｎｄ１（第二の検出信号）を出力する。所定の閾値以下であればハイレベルの検出信号Ｓｎｄ１（第二の検出信号）を出力する。
【００２９】
プリアンブル検出部５３は、アンテナ４４などを介して入力信号Ｓｉｎ３が入力され、検出信号Ｓｐｒｅ１（第三の検出信号）を出力する。
【００３０】
図６に示すように、プリアンブル検出部５３は、例えばデータコンパレータＤＣＯＭＰ１及び認識回路ＡＲＥＣ１が設けられる。
【００３１】
データコンパレータＤＣＯＭＰ１は、受信部１６の図示しないＩＦ部から出力される信号である入力信号Ｓｉｎ３が入力され、入力信号Ｓｉｎ３のデータを２値化（ハイレベル／ローレベル）する。認識回路ＡＲＥＣ１は、データコンパレータＤＣＯＭＰ１から出力される信号が入力され、その信号を所定の認識方式で認識する。
【００３２】
判定部５４は、検出信号Ｓｒｓ１、検出信号Ｓｎｄ１、及び検出信号Ｓｐｒｅ１が入力され、論理演算した判定結果信号Ｓｅｎ１を生成する。判定部５４は、信号有の検出を行う。
【００３３】
図７に示すように、判定部５４では、プリアンブル検出である検出信号Ｓｐｒｅ１、ノイズ検出である検出信号Ｓｎｄ１、及びＲＳＳＩ検出である検出信号Ｓｒｓ１の論理演算での優先度は、例えば
Spre1＞Snd1＞Srs1・・・・・・・・・・・・・・・式（１）
と設定され、検出信号Ｓｐｒｅ１が最優先される。
【００３４】
検出信号Ｓｐｒｅ１が信号有の場合、検出信号Ｓｎｄ１及び検出信号Ｓｒｓ１によらず、信号有の判定結果信号Ｓｅｎ１が判定部５４から出力される。検出信号Ｓｐｒｅ１が検出中の場合、検出信号Ｓｎｄ１及び検出信号Ｓｒｓ１によらず、検出中の判定結果信号Ｓｅｎ１が判定部５４から出力される。
【００３５】
検出信号Ｓｐｒｅ１が“ＯＦＦ”で、検出信号Ｓｎｄ１が信号有の場合、信号有の判定結果信号Ｓｅｎ１が判定部５４から出力される。検出信号Ｓｐｒｅ１が“ＯＦＦ”で、検出信号Ｓｎｄ１が検出中で、検出信号Ｓｒｓ１が信号有の場合、信号有の判定結果信号Ｓｅｎ１が判定部５４から出力される。検出信号Ｓｐｒｅ１が“ＯＦＦ”で、検出信号Ｓｎｄ１が検出中で、検出信号Ｓｒｓ１が検出中の場合、検出中の判定結果信号Ｓｅｎ１が判定部５４から出力される。検出信号Ｓｐｒｅ１が“ＯＦＦ”で、検出信号Ｓｎｄ１が検出中で、検出信号Ｓｒｓ１が“ＯＦＦ”の場合、検出中の判定結果信号Ｓｅｎ１が判定部５４から出力される。
【００３６】
検出信号Ｓｐｒｅ１が“ＯＦＦ”で、検出信号Ｓｎｄ１が“ＯＦＦ”で、検出信号Ｓｒｓ１が信号有の場合、信号有の判定結果信号Ｓｅｎ１が判定部５４から出力される。検出信号Ｓｐｒｅ１が“ＯＦＦ”で、検出信号Ｓｎｄ１が“ＯＦＦ”で、検出信号Ｓｒｓ１が検出中の場合、検出中の判定結果信号Ｓｅｎ１が判定部５４から出力される。検出信号Ｓｐｒｅ１が“ＯＦＦ”で、検出信号Ｓｎｄ１が“ＯＦＦ”で、検出信号Ｓｒｓ１が“ＯＦＦ”の場合、”検出実施しない”の判定結果信号Ｓｅｎ１が判定部５４から出力される。
【００３７】
判定部５５は、検出信号Ｓｒｓ１、検出信号Ｓｎｄ１、及び検出信号Ｓｐｒｅ１が入力され、論理演算した判定結果信号Ｓｄｉ１を生成する。判定部５５は、信号なし検出を行う。
【００３８】
図８に示すように、判定部５５では、プリアンブル検出である検出信号Ｓｐｒｅ１、ノイズ検出である検出信号Ｓｎｄ１、及びＲＳＳＩ検出である検出信号Ｓｒｓ１の論理演算での優先度は、検出信号Ｓｐｒｅ１が最優先される。
【００３９】
検出信号Ｓｐｒｅ１が信号なし検出の場合、検出信号Ｓｎｄ１及び検出信号Ｓｒｓ１によらず、信号なし検出の判定結果信号Ｓｄｉ１が判定部５５から出力される。検出信号Ｓｐｒｅ１が検出中で、検出信号Ｓｒｓ１が信号なし検出で、検出信号Ｓｎｄ１が信号なし検出の場合、信号なし検出の判定結果信号Ｓｄｉ１が判定部５５から出力される。検出信号Ｓｐｒｅ１が検出中で、検出信号Ｓｒｓ１が信号なし検出で、検出信号Ｓｎｄ１が検出中の場合、検出中の判定結果信号Ｓｄｉ１が判定部５５から出力される。検出信号Ｓｐｒｅ１が検出中で、検出信号Ｓｒｓ１が信号なし検出で、検出信号Ｓｎｄ１が”ＯＦＦ”の場合、信号なし検出の判定結果信号Ｓｄｉ１が判定部５５から出力される。
【００４０】
検出信号Ｓｐｒｅ１が検出中で、検出信号Ｓｒｓ１が検出中で、検出信号Ｓｎｄ１が信号なし検出の場合、検出中の判定結果信号Ｓｄｉ１が判定部５５から出力される。検出信号Ｓｐｒｅ１が検出中で、検出信号Ｓｒｓ１が検出中で、検出信号Ｓｎｄ１が検出中の場合、検出中の判定結果信号Ｓｄｉ１が判定部５５から出力される。検出信号Ｓｐｒｅ１が検出中で、検出信号Ｓｒｓ１が検出中で、検出信号Ｓｎｄ１が”ＯＦＦ”の場合、検出中の判定結果信号Ｓｄｉ１が判定部５５から出力される。
【００４１】
検出信号Ｓｐｒｅ１が検出中で、検出信号Ｓｒｓ１が”ＯＦＦ”で、検出信号Ｓｎｄ１が信号なし検出の場合、信号なし検出の判定結果信号Ｓｄｉ１が判定部５５から出力される。検出信号Ｓｐｒｅ１が検出中で、検出信号Ｓｒｓ１が”ＯＦＦ”で、検出信号Ｓｎｄ１が検出中の場合、検出中の判定結果信号Ｓｄｉ１が判定部５５から出力される。検出信号Ｓｐｒｅ１が検出中で、検出信号Ｓｒｓ１が”ＯＦＦ”で、検出信号Ｓｎｄ１が”ＯＦＦ”の場合、検出中の判定結果信号Ｓｄｉ１が判定部５５から出力される。
【００４２】
検出信号Ｓｐｒｅ１が”ＯＦＦ”で、検出信号Ｓｒｓ１が信号なし検出で、検出信号Ｓｎｄ１が信号なし検出の場合、信号なし検出の判定結果信号Ｓｄｉ１が判定部５５から出力される。検出信号Ｓｐｒｅ１が”ＯＦＦ”で、検出信号Ｓｒｓ１が信号なし検出で、検出信号Ｓｎｄ１が検出中の場合、検出中の判定結果信号Ｓｄｉ１が判定部５５から出力される。検出信号Ｓｐｒｅ１が”ＯＦＦ”で、検出信号Ｓｒｓ１が信号なし検出で、検出信号Ｓｎｄ１が”ＯＦＦ”の場合、信号なし検出の判定結果信号Ｓｄｉ１が判定部５５から出力される。
【００４３】
検出信号Ｓｐｒｅ１が”ＯＦＦ”で、検出信号Ｓｒｓ１が”ＯＦＦ”で、検出信号Ｓｎｄ１が信号なし検出の場合、信号なし検出の判定結果信号Ｓｄｉ１が判定部５５から出力される。検出信号Ｓｐｒｅ１が”ＯＦＦ”で、検出信号Ｓｒｓ１が”ＯＦＦ”で、検出信号Ｓｎｄ１が検出中の場合、検出中の判定結果信号Ｓｄｉ１が判定部５５から出力される。検出信号Ｓｐｒｅ１が”ＯＦＦ”で、検出信号Ｓｒｓ１が”ＯＦＦ”で、検出信号Ｓｎｄ１が”ＯＦＦ”の場合、”検出実施しない”の判定結果信号Ｓｄｉ１が判定部５５から出力される。
【００４４】
タイマー制御部４３は、カウンタ５９、レジスタ６０、発振部６１、分周回路６２が設けられる。
【００４５】
レジスタ６０は、マイコン４５から出力される制御信号Ｓｓｇ１が入力され、間欠受信期間を決定する信号Ｓｒｅ１を出力する。発振部６１は発振信号を生成する。分周回路６２は、発振部６１から出力される発振信号に基づいて、クロック信号Ｓｃｌｋを生成する。カウンタ５９は、プリセット付きダウンカンタで、例えば２の乗数の１〜２５５（ｍｓ）の範囲の間欠受信期間を設定する。カウンタ５９は、信号Ｓｒｅ１が入力され、クロック信号Ｓｃｌｋに基づいてダウンカウントする。
【００４６】
タイマー制御部４２は、選択回路５６、誤動作防止回路５７、及び誤動作防止回路５８が設けられる。
【００４７】
選択回路５６は、判定部５４から出力される判定結果信号Ｓｅｎ１と判定部５５から出力される判定結果信号Ｓｄｉ１が入力され、信号選択を行う。選択回路５６は、判定結果信号Ｓｅｎ１を優先して選択する。
【００４８】
図９に示すように、選択回路５６では、判定結果信号Ｓｅｎ１が信号有で、判定結果信号Ｓｄｉ１が検出中の場合、信号有の選択信号が選択回路５６から出力される。判定結果信号Ｓｅｎ１が信号有で、判定結果信号Ｓｄｉ１が”検出実施せず”の場合、信号有の選択信号Ｓｓｎ１が選択回路５６から出力される。
【００４９】
判定結果信号Ｓｅｎ１が検出中で、判定結果信号Ｓｄｉ１が信号なし検出の場合、信号なし検出の選択信号Ｓｓｎ１が選択回路５６から出力される。判定結果信号Ｓｅｎ１が検出中で、判定結果信号Ｓｄｉ１が検出中の場合、検出中の選択信号Ｓｓｎ１が選択回路５６から出力される。判定結果信号Ｓｅｎ１が検出中で、判定結果信号Ｓｄｉ１が”検出実施せず”の場合、検出中の選択信号Ｓｓｎ１が選択回路５６から出力される。
【００５０】
誤動作防止回路５７は、判定部５４から出力される判定結果信号Ｓｅｎ１が入力され、信号Ｓ２２を出力する。誤動作防止回路５７は、判定結果信号Ｓｅｎ１がノイズ等の誤動作を引き起こす信号の場合、ラッチして信号の通過を防止する。誤動作防止回路５８は、選択回路５６から出力される選択信号Ｓｓｎ１が入力され、信号Ｓ３３を出力する。誤動作防止回路５８は、選択信号Ｓｓｎ１がノイズ等の誤動作を引き起こす信号の場合、ラッチして信号の通過を防止する。
【００５１】
誤動作防止回路５７から出力される信号Ｓ２２、誤動作防止回路５８から出力される信号Ｓ３３に基づいて、信号有の場合にカウンタ５９が動作を停止して受信の継続がなされる。信号なし検出の場合にＲＦ部１２が”ＯＦＦ”する。
【００５２】
信号Ｓ２２、信号３３が”検出中”或いは”検出実施しない”場合、ＲＦ部１２は間欠受信期間中であれば受信待ち受けモードに設定され、間欠受信期間外であればマイコン１１の指示待ち（”ＯＦＦ”）となる。
【００５３】
次に、無線通信装置の間欠受信動作について図１０を参照して説明する。図１０は無線通信装置の動作を示すタイミングチャート、図１０（ａ）は、間欠受信期間中に無線通信信号ＳＤ２が入力された場合であり、図１０（ｂ）は、受信処理が間欠受信期間よりの延長される場合である。
【００５４】
図１０（ａ）に示すように、マイコン４５から出力される制御信号Ｓｓｇ１に基づいて間欠受信期間が、例えば１０ｍｓ乃至２０ｍｓの範囲に設定される。制御信号Ｓｓｇ２に基づいてＲＦ１２が”ＯＦＦ”から受信待ち受けモードに設定される。制御信号Ｓｓｇ１及び制御信号Ｓｓｇ２の出力後、マイコン４５は、スリープモードに移行する。
【００５５】
間欠受信期間内に無線通信信号ＳＤ２が入力されると、ＲＦ部１２は無線通信信号ＳＤ２の有無の確認後に受信処理を開始する。ＲＦ部１２は、受信処理信号をマイコン４５に送信する。マイコン４５は、受信処理信号が入力されるとスリープモードから動作を復帰し、割り込み処理を実行する。マイコン４５は、受信処理信号の入力完了後、ＲＦ部１２へ停止命令を送信する。ＲＦ部１２は、停止命令に基づいて動作を停止する（間欠受信期間が解除される）。
【００５６】
図１０（ｂ）に示すように、タイマー動作によって設定される所定時間後、マイコン４５がスリープモードから復帰する。マイコン４５は、制御信号Ｓｓｇ１及び制御信号Ｓｓｇ２をＲＦ部１２に出力する。ＲＦ部１２は、間欠受信期間内に無線通信信号ＳＤ２が入力されると、無線通信信号ＳＤ２の有無の確認後に受信処理を開始する。ＲＦ部１２は、受信処理が間欠受信期間を超えていると判断すると受信の継続を実行し、間欠受信期間を延長する。ＲＦ部１２は、受信処理信号をマイコン４５に送信する。マイコン４５は、受信処理信号が入力されるとスリープモードから動作を復帰し、割り込み処理を実行する。マイコン４５は、受信処理信号の入力完了後、ＲＦ部１２へ停止命令を送信する。ＲＦ部１２は、停止命令に基づいて動作を停止する（間欠受信期間が解除される）。
【００５７】
上述したように、本実施形態の無線通信装置では、制御ユニット１と携帯機２から構成される無線通信装置９０が車両２００で行われるキーレスエントリーの無線通信に適用される。制御ユニット１は、車両２００に設けられ、制御部１１、ＲＦ部１２、記憶部１３、入力部１４、及び出力部１５から構成される。携帯機２は、車両２００の外部に設けられ、ＲＦ部２１、制御部２２、及び記憶部２３から構成される。ＲＦ部１２は、信号判定部４１、タイマー制御部４２、タイマー設定部４３、及びアンテナ４４を含む。制御部１１はマイコン４５を含む。マイコン４５は、間欠受信期間を設定する制御信号Ｓｓｇ１をタイマー設定部４３に出力する。マイコン４５は、ＲＦ部１２の動作を制御する制御信号Ｓｓｇ２をＲＦ部１２に出力する。信号判定部４１は、アンテナ４４を介して受信部１６に入力される無線通信信号ＳＤ２の有無を判定する。タイマー設定部４３は、制御信号Ｓｓｇ１に基づいて間欠受信期間を設定する。タイマー制御部４２は、信号判定部４１から出力される判定結果信号Ｓｅｎ１及び判定結果信号Ｓｄｉ１に基づいて、判定結果が信号有の場合、タイマー設定部４３のカウンタ５９の動作を停止し、受信の継続を実行する。判定結果が信号なしの場合、ＲＦ部１２の動作が停止される。
【００５８】
このため、間欠受信期間を短縮化することができ、無線通信装置９０の消費電流を低減化することができる。また、マイコン４５のＲＦ部１２に対する統括制御機能を削減することができる。また、ＲＦ部１２が受信の継続や動作の停止を実行できるので受信処理を高速化することができる。
【００５９】
なお、本実施形態では、マイコン４５を用いているが、ＣＰＵ（central processing unit）、ＭＰＵ（microprocessing unit）などを代わりに用いてもよい。
【００６０】
（第二の実施形態）
次に、本発明の第二の実施形態に係る無線通信装置について、図面を参照して説明する。図１１は間欠受信が行われる住宅の概略構成を示すブロック図である。図１２は間欠受信を実行する無線通信装置の構成を示すブロック図である。本実施形態では、住宅に設けられる無線通信装置の制御ユニットのＲＦ部で信号検出された結果に基づいて間欠受信期間を短縮化して消費電流を低減している。
【００６１】
図１１に示すように、住宅３００には、ドア３、解錠制御部４、照明５、ＴＶ６、エアコン７、制御部１１ａ、及びＲＦ部１２ａが設けられる。住宅３００では、携帯機２ａとの間でキーレスエントリーの無線通信が実行される。
【００６２】
キーレスエントリー対応の住宅３００では、携帯機２ａのＲＦ部２１ａから住宅３００のＲＦ部１２ａに送信される無線通信信号ＳＤ２に基づいて、例えば、ドア３の解錠、照明５の点灯、ＴＶの起動、エアコン７の起動等が制御される。また、住宅３００のＲＦ部１２ａから携帯機２ａのＲＦ部２１ａに無線通信信号ＳＤ１が送信される。無線通信信号ＳＤ１には、住宅３００内の情報が含まれる。
【００６３】
図１２に示すように、無線通信装置９１により住宅３００で行われるキーレスエントリーの無線通信が実行される。
【００６４】
無線通信装置９１には、制御ユニット１ａと携帯機２ａから構成される。制御ユニット１ａは、住宅３００に設けられ、制御部１１ａ、ＲＦ部１２ａ、記憶部１３ａ、入力部１４ａ、及び出力部１５ａから構成される。携帯機２ａは、住宅３００の外部に設けられ、ＲＦ部２１ａ、制御部２２ａ、及び記憶部２３ａから構成される。
【００６５】
制御部１１ａは、ＲＦ部１２ａ、記憶部１３ａ、入力部１４ａ、及び出力部１５ａを統括制御する。ＲＦ部１２ａは、受信部１６ａ及び送信部１７ａが設けられる。記憶部１３ａは、制御部１１ａから出力される各種情報（住宅３００内外の情報）を格納する。入力部１４ａは、例えば室内外機器情報などが入力され、その情報を制御部１１ａに出力する。出力部１５ａは、制御部１１ａから出力される制御信号が入力され、その制御信号を住宅３００内に送信し、例えば解錠制御部４によるドアの解錠、空調制御、照明制御などが実行される。
【００６６】
制御部２２ａは、ＲＦ部２１ａ及び記憶部２３ａを統括制御する。ＲＦ部２１ａは、受信部２４ａ及び送信部２５ａが設けられる。記憶部２３ａは、制御部２２ａから出力される各種情報を格納する。
【００６７】
無線通信信号ＳＤ２は、送信部２５ａから受信部１６ａに送信される。無線通信信号ＳＤ１は、送信部１７ａから受信部２４ａに送信される。
【００６８】
なお、キーレスエントリーの無線通信を実行する無線通信装置９１の制御部１１ａ及びＲＦ部１２ａは、第一の実施形態の無線通信装置９０と同様な構成及び動作を行うので説明を省略する。
【００６９】
上述したように、本実施形態の無線通信装置では、制御ユニット１ａと携帯機２ａから構成される無線通信装置９１が住宅３００で行われるキーレスエントリーの無線通信に適用される。制御ユニット１ａは、住宅３００に設けられ、制御部１１ａ、ＲＦ部１２ａ、記憶部１３ａ、入力部１４ａ、及び出力部１５ａから構成される。携帯機２ａは、住宅３００の外部に設けられ、ＲＦ部２１ａ、制御部２２ａ、及び記憶部２３ａから構成される。
【００７０】
このため、キーレスエントリーでの間欠受信期間を短縮化することができ、無線通信装置９１の消費電流を低減化することができる。
【００７１】
なお、実施形態では、キーレスエントリーの対応する無線通信装置に適用したが、必ずしもこれに限定されるものではない、間欠受信機能を有する一般的な無線通信装置に適用することができる。
【００７２】
また、第一の実施形態では、車両２００側のＲＦ部１２及び制御部１１に適用しているが、携帯機２側のＲＦ部２１及び制御部２２にも適用してもよい。第二の実施形態では、住宅３００側のＲＦ部１２ａ及び制御部１１ａに適用しているが、携帯機２ａ側のＲＦ部２１ａ及び制御部２２ａにも適用してもよい。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１、１ａ  制御ユニット
２、２ａ  携帯機
３、３４ａ〜３４ｄ  ドア
４  解錠制御部
５  照明
６  ＴＶ
７  エアコン
１１、１１ａ、２２、２２ａ  制御部
１２、１２ａ、２１、２１ａ  ＲＦ部
１３、１３ａ、２３、２３ａ  記憶部
１４、１４ａ  入力部
１５、１５ａ  出力部
１６、１６ａ、２４、２４ａ  受信部
１７、１７ａ、２５、２５ａ  送信部
３１  エンジン
３２  エアコン
３３ａ〜３３ｆ  ランプ
３５ａ、３５ｂ  ミラー
４１  信号判定部
４２  タイマー制御部
４３  タイマー設定部
４４  アンテナ
４５  マイコン
５１  ＲＳＳＩ検出部
５２  ノイズ検出部
５３  プリアンブル検出部
５４、５５  判定部
５６  選択回路
５７、５８  誤動作防止回路
５９  カウンタ
６０  レジスタ
６１  発振部
６２  分周回路
９０、９１  無線通信装置
２００  車両
３００  住宅
ＡＤＣ１  Ａ／Ｄコンバータ
ＡＲＥＣ１  認識回路
ＣＯＭＰ１、ＣＯＭＰ２  コンパレータ
ＤＣＯＭＰ１  データコンパレータ
ＦＬＴ１〜ＦＬＴ３  フィルタ
ＦＷＲ１  全波整流回路
Ｓｃｌｋ  クロック信号
ＳＤ１、ＳＤ２  無線通信信号
Ｓｅｎ１、Ｓｄｉ１  判定結果信号
Ｓｉｎ１〜Ｓｉｎ３  入力信号
Ｓｎｄ１、Ｓｐｒｅ１、Ｓｒｓ１  検出信号
Ｓｓｇ１、Ｓｓｇ２  制御信号
Ｓｓｎ１  選択信号
Ｓ２２、Ｓ３３、Ｓｒｅ１  信号
【図１】
0005706363.tif 000002
【図２】
0005706363.tif 000003
【図３】
0005706363.tif 000004
【図４】
0005706363.tif 000005
【図５】
0005706363.tif 000006
【図６】
0005706363.tif 000007
【図７】
0005706363.tif 000008
【図８】
0005706363.tif 000009
【図９】
0005706363.tif 000010
【図１０】
0005706363.tif 000011
【図１１】
0005706363.tif 000012
【図１２】
0005706363.tif 000013